(57)【要約】【課題】従来の感染防護服では、病原体が付着しやすい前面側にファスナーがあるため、服の前面に付着した病原体がファスナーを下ろした時に内側に侵入しやすく、また、着用者が自分でファスナーを下ろして服を脱ぐ際に、病原体が手に着く場合があるため、感染のリスクが高かった。【解決手段】異物に対する人体の防護に用いられる防護服であって、人体の少なくとも一部を覆う服本体を具備し、服本体の前面以外に開閉部を設けた防護服により、異物に対するリスクを低減できる。【選択図】図１
2019031748.tif 000002
【特許請求の範囲】
【請求項１】
異物に対する人体の防護に用いられる防護服であって、
人体の少なくとも一部を覆う服本体を具備し、
前記服本体の前面以外に開閉部を設けた防護服。
【請求項２】
前記開閉部の上方の先端は、
肩より上の高さに位置する請求項１記載の防護服。
【請求項３】
前記開閉部の上方の先端は、
肩と頭頂との間であり、肩から頭頂までの１／４ないし３／４の間の高さに位置する請求項２記載の防護服。
【請求項４】
前記服本体は、
頭部を覆うフードとの一体型である請求項１から請求項３いずれか一項に記載の防護服。
【請求項５】
前記服本体は、
靴を覆うシューカバーとの一体型である請求項１から請求項４いずれか一項に記載の防護服。
【請求項６】
前記シューカバーに第二タブを設けた請求項５記載の防護服。
【請求項７】
前記第二タブは、
足のかかとまたはその近傍に位置する請求項６記載の防護服。
【請求項８】
前記開閉部にコードをさらに設けた請求項１から請求項３いずれか一項に記載の防護服。
【請求項９】
前記開閉部の内側に１以上のタブをさらに設けた請求項１から請求項８いずれか一項に記載の防護服。
【請求項１０】
前記１以上のタブは、
前記開閉部の最上位またはその近傍に位置する請求項９記載の防護服。
【請求項１１】
病原体に対する感染予防に用いられる請求項１から請求項１０いずれか一項に記載の防護服。
【請求項１２】
異物に対する人体の防護に用いられるシューカバーであって、
靴の少なくとも一部を覆うカバー本体を具備し、
前記カバー本体に第二タブを設けたシューカバー。
【発明の詳細な説明】
【技術分野】
【０００１】
本発明は、異物に対する人体の防護に用いられる防護服等に関するものである。
【背景技術】
【０００２】
従来、つなぎ形態の防護服本体の前面に、上方より股下部の近傍位置まで開閉可能なファスナーを取付けると共に、防護服本体の内側の背後位置に、廃棄時の防護服本体を収納するための収納袋部を取付け、この収納袋部の内面と外面の双方に結束バンドを取付けたことにより、防護服の廃棄時に、表面に付着したウイルスが飛散しないようにして、二次感染を防ぐことができる感染防護服が存在した（例えば、特許文献１参照）。
【先行技術文献】
【特許文献】
【０００３】
【特許文献１】実用新案登録第３１４１３７９号公報
【発明の概要】
【発明が解決しようとする課題】
【０００４】
しかし、従来の感染症防護服では、診療や検査などで病原体が付着しやすい前面側にファスナーがあるため、服の前面に付着した病原体が、ファスナーを下ろした時に内側に侵入しやすかった。また、着用者が、診療等の後、自分でファスナーを下ろして防護服を脱ぐ際に、服の前面に付着した病原体が手に着く場合があった。このため、従来の感染症防護服は、病原体に対する感染のリスクが高かった。
【０００５】
また、他の従来の防護服でも、開閉部が前面側にあるため、異物に対するリスクが高かった。
【課題を解決するための手段】
【０００６】
本第一の発明の防護服は、異物に対する人体の防護に用いられる防護服であって、人体の少なくとも一部を覆う服本体を具備し、服本体の前面以外に開閉部を設けた防護服である。
【０００７】
かかる構成により、異物に対するリスクを低減できる。
【０００８】
また、本第二の発明の防護服は、第一の発明に対して、開閉部の上方の先端は、肩より上の高さに位置する防護服である。
【０００９】
かかる構成により、着用者が、一人で容易に防護服を脱ぐことができ、かつリスクを低減できる。
【００１０】
また、本第三の発明の防護服は、第二の発明に対して、開閉部の上方の先端は、肩と頭頂との間であり、肩から頭頂までの１／４ないし３／４の間の高さに位置する防護服である。
【００１１】
かかる構成により、一人で防護服を脱ぐのがより容易になり、かつリスクを低減できる。
【００１２】
また、本第四の発明の防護服は、第一から第三いずれか１つの発明に対して、服本体は、頭部を覆うフードとの一体型である防護服である。
【００１３】
かかる構成により、フードとの間に隙間がないため、リスクを低減できる。
【００１４】
また、本第五の発明の防護服は、第一から第四いずれか１つの発明に対して、服本体は、靴を覆うシューカバーとの一体型である防護服である。
【００１５】
かかる構成により、シューカバーと間に隙間がなく、リスクを低減できる。
【００１６】
また、本第六の発明の防護服は、第五の発明に対して、シューカバーに第二タブを設けた防護服である。
【００１７】
かかる構成により、着用者がシューカバーを容易に脱ぐことができ、かつリスクを低減できる。
【００１８】
また、本第七の発明の防護服は、第六の発明に対して、第二タブは、足のかかとまたはその近傍に位置する防護服である。
【００１９】
かかる構成により、着用者自身が、一方の足で他方の足のかかと付近にある第二タブを踏むことで、手を使わずに、シューカバーを容易に脱ぐことができ、かつリスクを低減できる。
【００２０】
また、本第八の発明の防護服は、第一から第三いずれか１つの発明に対して、開閉部にコードをさらに設けた防護服である。
【００２１】
かかる構成により、着用者自身が、背面側の開閉部をコードの操作で簡単に下ろせるので、一人で容易に防護服を脱ぐことができ、かつリスクを低減できる。
【００２２】
また、本第九の発明の防護服は、第一から第八いずれか１つの発明に対して、開閉部の内側に１以上のタブをさらに設けた防護服である。
【００２３】
かかる構成により、着用者自身が、背面側の開閉部を開けた後、その内側の１以上のタブをつまんで防護服を脱ぐことができるので、手が服本体の前面に触れずに済み、リスクを低減できる。
【００２４】
また、本第十の発明の防護服は、第九の発明に対して、１以上のタブは、開閉部の最上位またはその近傍に位置する防護服である。
【００２５】
かかる構成により、タブをつまみやすいので、一人で容易に防護服を脱ぐことができ、かつリスクを低減できる。
【００２６】
また、本第十一の発明の防護服は、第一から第十いずれか１つの発明に対して、病原体に対する感染予防に用いられる防護服である。
【００２７】
かかる構成により、病原体に対する感染のリスクを低減できる。
【発明の効果】
【００２８】
本発明によれば、服本体の前面以外に開閉部を設けたことで、異物に対するリスクを低減できる。
【図面の簡単な説明】
【００２９】
【図１】実施の形態における防護服の背面図
【図２】同防護服の正面図
【図３】同右利き用の防護服の一例を示す背面図
【図４】同左利き用の防護服の一例を示す背面図
【図５】同開閉部の上端の位置の一例を示す図
【図６】同水平方向の中心線に開閉部を設けた防護服の一例を示す背面図
【図７】同人体に着用された防護服を示す正面図
【図８】同人体に着用された防護服を示す背面図
【図９】同防護服の脱衣手順を示す図
【図１０】同防護服の脱衣手順の一部を示す図
【図１１】同防護服の脱衣手順の他の一部を示す図
【図１２】同防護服の脱衣手順のその他の一部を示す図
【図１３】同防護服の脱衣手順のさらにその他の一部を示す図
【図１４】同防護服の脱衣手順の他の一部を示す図
【図１５】同防護服の脱衣手順のその他の一部を示す図
【図１６】同防護服の脱衣手順のさらにその他の一部を示す図
【図１７】同防護服の具体例を示す図
【発明を実施するための形態】
【００３０】
以下、防護服の実施形態について図面を参照して説明する。なお、実施の形態において同じ符号を付した構成要素は同様の機能を有するので、再度の説明を省略する場合がある。
【００３１】
本実施の形態において、バックエントリー（リアエントリー）仕様の防護服に着いて説明する。バックエントリー（リアエントリー）仕様とは、ユーザが防護服を着たり脱いだりするための開閉部を、背面側に設けた仕様である。背面側とは、側面も含んでよいし、側面を含まなくてもよい。バックエントリー（リアエントリー）仕様は、通常、服本体の背面に開閉部が設けられた仕様であるが、例えば、服本体の側面に開閉部が設けられた仕様でも構わない。バックエントリー（リアエントリー）仕様は、服本体の前面以外に開閉部が設けられた仕様であればよく、広く解する。また、開閉部が背面に設けられている場合、背面における開閉部の位置は問わない。開閉部の位置は背面の中央でも良いし、左右のどちらかに寄った位置等でも良い。
【００３２】
本実施の形態における防護服は、異物に対する人体の防護に用いられる防護服である。異物は、例えば、病原体、化学物質、放射性物質などであるが、人体に影響を与え得るものであれば、その種類は問わない。
【００３３】
防護服は、例えば、ウイルスや細菌等の病原体に対する感染予防に用いられる防護服であることは好適である。防護服は、特に、例えば、エボラや鳥インフルエンザ等の高病原性微生物に対する感染防止用の防護服であることは、より好適である。防護服は、高病原性ウイルス等の高リスクの病原体の感染源に対して、例えば、医療や検査等の作業を行う医師、看護師、検疫職員等の人員の感染防止に有益である。
【００３４】
ただし、防護服は、例えば、毒物や薬品等の化学物質に対する曝露防止に用いられる防護服であってもよい。また、防護服は、例えば、アスベスト等の発がん性物質や、核廃棄物等の放射性物質を含んだ粉塵の吸引防止に用いられる防護服であってもよい。さらに、防護服は、例えば、放射性物質からの放射線の被ばく防止に用いられる防護服であってもよく、その用途は問わない。防護服は、高リスクの物質に対して作業する人員の防護にも有益である。
【００３５】
図１は、本実施の形態における防護服１の背面図である。また、図２は、本実施の形態における防護服１の正面図である。防護服１は、服本体１１、開閉部１２、コード１３、１または２以上のタブ１４、および１または２以上の第二タブ１５を備える。
【００３６】
服本体１１は、人体の少なくとも一部を覆う部材である。少なくとも一部とは、例えば、全身でもよいし、足以外の部分でもよいし、頭部以外の部分でもよいし、胴体のみでも構わない。
【００３７】
服本体１１は、頭部を覆うフード１１１、または靴を覆うシューカバー１１２のうち、１以上の部材との一体型であることは好適である。一体型とは、服本体１１と、フード１１１またはシューカバー１１２のうち１以上の部材とが、一の生地で形成されていることでもよい。または、一体型とは、例えば、服本体１１とは別体であるフード１１１またはシューカバー１１２のうち１以上の部材が、服本体１１に対し、着脱不能に縫い付けられた又は接着されたものでもよい。
【００３８】
別体とは、フード１１１等の部材が、服本体１１とは別に製造された後、組み合わせて着用されるように形成されていることであってもよい。別体であるフード１１１等の部材は、服本体１１に対し、例えば、マジックテープ（登録商標）のような面ファスナー等の部材を介して着脱可能に結合されることは好適である。フード１１１等の部材は、服本体１１と同じ材質で形成されることは好適であるが、異なる材質で形成されてもよい。
【００３９】
服本体１１は、フード１１１およびシューカバー１１２との一体型であることは、より好適である。フード１１１およびシューカバー１１２との一体型である服本体１１を、例えば、全身防護服と呼んでもよい。
【００４０】
フード１１１は、例えば、ＰＶＣシートやポリエステルフィルム等の透明素材でできたバイザー１１１ａを有する。
【００４１】
開閉部１２は、通常、ユーザが防護服１を着たり脱いだりする着脱用の部位であり、開閉可能な部位である。開閉部１２は、異物に対するリスクを低減できる位置に設けられることは好適である。リスクを低減できる位置とは、異物が入らない又は入りにくい位置であり、特に、異物が付着しない又は付着し難い位置であることは好適である。かかる位置は、通常、防護服１の背面側である。
【００４２】
また、開閉部１２は、異物に対するリスクを低減できる位置であり、かつユーザが防護服１を一人で着脱しやすい位置に設けられることは、より好適である。つまり、リスクを低減するべく背面側に開閉部１２を設けると、通常、防護服１を一人で着脱することが難しくなる。そこで、本実施の形態では、背面側の、出来るだけ一人で着脱しやすい位置に、開閉部１２を設けるようにしている。
【００４３】
開閉部１２は、服本体１１の背面に設けられる。背面とは、服本体１１の背中側の面である。背面は、通常、側面は含まないが、側面も含むと考えてもよい。背面は、例えば、「後ろ見頃」と称してもよい。
【００４４】
開閉部１２の位置は、例えば、背面の中心線に沿う位置、またはその近傍が、脱ぎやすさの点で好適である。中心線とは、例えば、左右対称である背面の対称軸といってもよいし、背骨の線といってもよい。
【００４５】
なお、開閉部１２の位置は、背面の中心線に限らず、例えば、背骨と体側との間の線に沿う位置でもよい。背骨と体側との間の線とは、例えば、肩甲骨またはその近傍を通る線であり、背骨に平行な線であってもよい。
【００４６】
このような、背骨に対して右側または左側に偏った開閉部１２の位置は、例えば、ユーザの利き腕に依存してもよい。左利き用の防護服の一例を図３に示す。また、右利き用の防護服の一例を図４に示す。
【００４７】
図３に示す左利き用の防護服１Ａでは、服本体１１Ａの、背骨と左体側との間の線に沿う位置に、開閉部１２Ａが設けられている。背骨と左体側との間の線とは、例えば、左肩甲骨またはその近傍を通る線であり、背骨に平行な線であってもよい。
【００４８】
図４に示す右利き用の防護服１Ｂでは、服本体１１Ｂの、背骨と右体側との間の線に沿う位置に、開閉部１２Ｂが設けられている。背骨と右体側との間の線とは、例えば、右肩甲骨またはその近傍を通る線であり、背骨に平行な線であってもよい。
【００４９】
ただし、ユーザの利き腕と、開閉部１２の位置との対応関係は、上記とは逆でもよい。また、開閉部１２の位置は、利き腕とは無関係でも構わない。
【００５０】
開閉部１２の上方の先端１２ａ（以下、上端１２ａと記す場合もある）は、例えば、肩より上の高さに位置する。また、開閉部１２の上端１２ａは、通常、頭頂より下の高さに位置する。
【００５１】
図５は、開閉部１２の上端１２ａの位置の一例を示す図である。図５に示す開閉部１２の上端１２ａは、例えば、肩と頭頂との間であり、肩から頭頂までの１／２の高さに位置する。ただし、開閉部１２の上端１２ａは、肩から頭頂までの１／４ないし３／４の間の高さに位置することは、特に、一人で防護服１を脱ぐ際の脱ぎやすさの点で、好適である。
【００５２】
または、開閉部１２の上端１２ａの高さは、例えば、肩から頭頂までの１／２から３／４の間の高さでもよい。
【００５３】
または、開閉部１２の上端１２ａの高さは、例えば、肩から頭頂までの１／３より上、かつ頭頂より下の高さでもよい。
【００５４】
なお、背面の中心線とは、上述した背骨の線のような、鉛直方向の中心線に限らず、例えば、水平方向の中心線でもよい。なお、本実施形態において、鉛直とは、概ね鉛直である場合も含み、水平とは、概ね水平である場合も含む。服本体の背面の、水平方向の中心線に、開閉部１２を設けた防護服の一例を図６に示す。図６の防護服１Ｃでは、胴体のウエストまたはその近傍の高さの線であり、服本体１１Ｃの背面を概ね半周するような線に沿って、開閉部１２Ｃが設けられている。
【００５５】
ただし、開閉部１２の位置は、服本体１１の背面側であれば、どこでも構わない。また、開閉部１２の方向性も問わない。
【００５６】
開閉部１２は、例えば、ジップアップで構成されることは、気密性の点で好適である。ジップアップは、例えば、ジッパー、ファスナー、チャックなどとも呼ばれる。ただし、開閉部１２は、例えば、面ファスナー、ボタン、ホックといった、ジップアップ以外の部材で構成されてもよい。
【００５７】
詳しくは、服本体１１の背面に裂け目が形成されており、開閉部１２は、この裂け目に沿って服本体１１に付加（例えば、縫い付け、接着等）される一対のテープと、これら一対のテープの裂け目側の辺に設けられる一対のエレメント（務歯）と、これら一対のエレメントを?み合わせたり、その?み合わせを解いたりするスライダーとを有する。
【００５８】
コード１３は、開閉部１２の開閉操作のためのコードである。コード１３は、例えば、紐、織テープ、鎖等で構成されるが、その素材は問わない。コード１３は、通常、開閉部１２を構成するジップアップのスライダーに設けられる。
【００５９】
タブ１４は、ユーザが一人で防護服を脱ぐ際に指でつまむ部位であり、開閉部１２に設けられる。タブ１４は、開閉部１２の内側に設けられることは、病原体の指先への付着を防ぐ点で、好適である。内側とは、人体に接する側であり、開閉部１２を閉じた状態で、開閉部１２の下に隠れ、外界から遮断される位置である。
【００６０】
服本体１１には、開閉部１２の内側に、通常、１以上のタブ１４が設けられる。服本体１１には、例えば、２つのタブ１４が、開閉部１２を構成する一対のスライダーの近傍に設けられることは好適である。
【００６１】
ただし、例えば、前述した左利き用の防護服１（図３参照）では、一のタブ１４が、開閉部１２を構成する一対のスライダーのうち、右側のスライダーの近傍に設けられ、左側のスライダーには、タブ１４は無くてもよい。同様に、右利き用の防護服１（図４参照）では、一のタブ１４が左側のスライダーの近傍に設けられ、右側のスライダーには、タブ１４は無くてもてもよい。
【００６２】
１以上のタブ１４は、開閉部１２の最上位またはその近傍に位置することは好適である。開閉部１２の最上位とは、例えば、後頭部の高さであり、１以上のタブ１４がかかる高さに位置することは、ユーザが両腕を、指先が後頭部の位置に来るように回した状態で、容易にタブ１４をつまめる点で好適である。
【００６３】
第二タブ１５は、シューカバー１１２に設けられる。第二タブ１５は、ユーザがシューカバー１１２またはこれと一体型の服本体１１を一人で脱ぐことを容易にするための部位である。例えば、服本体１１が左右一対のシューカバー１１２と一体型である場合、一対のシューカバー１１２の各々に第二タブ１５が設けられることは好適である。ただし、一対のシューカバー１１２のいずれか一方に第二タブ１５が設けられ、他方には、第二タブ１５は設けられなくてもよい。
【００６４】
第二タブ１５は、例えば、左右一対のシューカバー１１２各々の、足のかかとに対応する位置に設けられる。左のシューカバー１１２のかかとに設けられた第二タブ１５は、ユーザが一人で防護服１を脱ぐ際に、右足で踏みつける部位である。右のシューカバー１１２のかかとに設けられた第二タブ１５は、ユーザが一人で防護服１を脱ぐ際に、左足で踏みつける部位である。
【００６５】
以下、本実施の形態における防護服１の具体的な着用例について説明する。本例における防護服１は、エボラや鳥インフルエンザ等の高病原性微生物に対する感染予防用である。例えば、航空機内でウイルス感染の疑われる患者が発生し、検疫所の職員が機内に赴く場面を想定する。
【００６６】
職員は、事前に、例えば、マスク、インナーの手袋、靴等を装着しておく。その後、職員は、防護服１を着用するべく、コード１３を下に引っぱり、開閉部１２を開く。職員は、開いた開閉部１２から、まず、両手を挿入し、次に、頭部をフード１１１内に収めた後、一方の脚、他方の脚の順に挿入していく。全身が防護服１内に収まると、職員は、コード１３を上に引っぱり、開閉部１２を閉じる。開閉部１２の上端１２ａ付近には、コード１３を収納するためのポケット（図示しない）が設けられており、職員は、引っぱり上げたコード１３をこのポケットに収納する。その後、職員は、インナーの手袋の上から、防護服１の袖口をたくし込むようにして、アウターの手袋を装着する。なお、かかる着用作業は、職員一人でも行えるが、他の職員が手伝っても構わない。
【００６７】
こうして職員により着用された防護服１の外観を、図４および図５に示す。図４は正面図、図５は背面図である。この防護服１において、開閉部１２は、図５に示すように、服本体１１の前面に設けられている。開閉部１２の上端１２ａは、肩から頭頂までの概ね１／２の高さに位置している。
【００６８】
開閉部１２が背面側にある防護服１では、着用者から開閉部１２が目視できないため、その開閉操作は、開閉部１２が前面側にある従来の防護服と比べて難しくなる。特に、開閉部１２の上端１２ａが肩の高さよりも低いと、着用者によっては、そこに手が届かない、又は届きにくい場合があり、開閉操作はより困難となる。この点、開閉部１２の上端１２ａを、例えば、図５のように、肩から頭頂までの概ね１／２の高さとしたことで、背面側に開閉部１２がありながら、開閉時の操作性の悪化を抑制できる。
【００６９】
また、開閉部１２の下方の先端は、図５に示すように、概ね脚の付け根の高さに位置している。脚の付け根の高さとは、股の高さと同義であってもよい。これによって、極力広い開閉部１２を確保できるため、一人での着脱が容易になる。
【００７０】
他方、防護服１の前面側には、図４に示すように、開閉部１２は設けられていない。こうして、病原体が付着しやすい前面には、開閉部１２を設けないことで、感病原体の感染源に対して作業する場合等に、感染リスクを低減できる。
【００７１】
防護服１の着用が完了すると、職員は、機内に乗り込み、例えば、患者の検査、機内の消毒等の活動を行う。活動を終えた職員は、所定の場所に移動し、防護服１を自力で脱ぐ。活動後の防護服１には、病原体が付着している可能性が高いため、脱衣作業を他の職員が手伝うことは、その職員への感染のリスクがあるため、好ましくない。
【００７２】
着用者が防護服１を一人で脱ぐ手順を、図９〜図１６に示す。着用者は、事前に、アウターの手袋を外し、インナーの手袋をアルコール等で手指消毒する。その後、着用者は、図９に示すように、開閉部１２の上端１２ａ付近の上記ポケットから、コード１３を取り出す。
【００７３】
次に、着用者は、取り出したコード１３を左手で持ち、また、開閉部１２の上端１２ａ付近に付けられた左右一対のタブ１４のうち右側のタブ１４を右手で持つ。そして、着用者は、図１０に示すよう、右側のタブ１４の位置を右手で維持しながら、左手で背面側に持ったコード１３を、開閉部１２を構成するスライダーが下端に達するまで、引き下ろす。なお、図１０の操作における左右の持ち手は、これとは逆でも構わない。
【００７４】
次に、着用者は、図１１に示すように、開閉部１２の上端１２ａの一対のタブ１４のうち、左側のタブ１４を左手で持ち、右側のタブ１４を右手で持つ。そして、着用者は、図１２に示すように、一対のタブ１４を持った両手を顔の前に移動させることで、頭部をフード１１１から抜き取る。さらに、着用者が、図１３に示すように、一対のタブ１４を持った両手を、腹部の前方までを下ろすと、防護服１は、頭部から上腕部まで脱げる結果となる。
【００７５】
次に、着用者は、図１４に示すように、右手で防護服１の内側を持ちながら、左手を抜く。引き続き、着用者は、左手で防護服１の内側を持ちながら、右手を抜く。なお、左右の手を抜く順序は、これとは逆でも構わない。こうして両腕が抜けると、着用者は、一方の手で持っている防護服１を下に落とす。これによって、防護服１は、図１５に示すように、頭部から膝まで脱げた状態となる。
【００７６】
その後、着用者は、例えば、図１６に示すように、立ったまま、左足のシューカバー１１２のかかと付近に設けられた第二タブ１５を、右足のつま先で踏み付けながら、左足を抜き取る。さらに、右足のシューカバー１１２のかかと付近に設けられた第二タブ１５を、左足のつま先で踏み付けながら、右足を抜き取れば、防護服１の脱衣は完了する。なお、左右の足を抜き取る順序は、これとは逆でもよい。また、第二タブ１５は、例えば、かかと、土踏まず等、足のどの部分で踏みつけても構わない。
【００７７】
なお、着用者は、例えば、椅子に座り、防護服１の内側を両手で持って、左右の脚を順番に防護服１から抜き取ってもよい。これは、椅子が置かれた専用の脱衣場を利用する場合や、第二タブ１５を有さない防護服（図示しない）を脱ぐ場合に、好適である。
【００７８】
以上、本実施の形態によれば、異物に対する人体の防護に用いられる防護服であって、人体の少なくとも一部を覆う服本体１１を具備し、服本体１１の前面以外に開閉部１２を設けた防護服１により、異物に対するリスクを低減できる。
【００７９】
また、上記防護服１において、開閉部１２の上端１２ａは、肩より上の高さに位置することにより、着用者が、一人で容易に防護服１を脱ぐことができる。
【００８０】
また、上記防護服１において、開閉部１２の上端１２ａは、肩と頭頂との間であり、肩から頭頂までの１／４ないし３／４の間の高さに位置することにより、一人で防護服１を脱ぐのがより容易になる。
【００８１】
また、上記防護服１において、服本体１１は、頭部を覆うフード１１１との一体型であることにより、フード１１１との間に隙間がないため、リスクを低減できる。
【００８２】
また、上記防護服１において、服本体１１は、靴を覆うシューカバー１１２との一体型であることにより、シューカバー１１２と間に隙間がなく、リスクを低減できると共に、一人で防護服１を脱ぐのがより容易になる。
【００８３】
また、上記防護服１において、シューカバー１１２に第二タブ１５を設けたことにより、着用者がシューカバー１１２を容易に脱ぐことができ、かつリスクを低減できる。
【００８４】
また、上記防護服１において、第二タブ１５は、足のかかとまたはその近傍に位置することにより、着用者自身が、一方の足で他方の足のかかと付近にある第二タブ１５を踏むことで、手を使わずに、シューカバー１１２を容易に脱ぐことができ、かつリスクを低減できる。
【００８５】
また、上記防護服１において、開閉部１２にコード１３をさらに設けたことにより、着用者自身が、背面側の開閉部１２をコード１３の操作で簡単に下ろせるので、一人で容易に防護服１を脱ぐことができる。
【００８６】
また、上記防護服１において、開閉部１２の内側に１以上のタブ１４をさらに設けたことにより、着用者自身が、背面側の開閉部１２を開けた後、その内側の１以上のタブ１４をつまんで防護服１を脱ぐことができるので、手が服本体１１の前面に触れずに済み、リスクを低減できる。
【００８７】
また、上記防護服１において、１以上のタブ１４は、開閉部１２の最上位またはその近傍に位置することにより、タブ１４をつまみやすいので、一人で容易に防護服１を脱ぐことができる。
【００８８】
さらに、上記防護服１は、高病原性病原体に対する感染予防に用いられることにより、病原体に対する感染のリスクを低減できる。
【００８９】
なお、防護服は、具体的には、例えば、図１７のように構成されていてもよい。図１７は、全身防護タイプの防護服２１を示す図である。防護服２１の背面側には、上記開閉部１２に対応するファスナー２２、上記コード１３に対応する第一の織テープ２３ａ、ファスナー２２を着脱可能に覆うフラップ２４、およびフラップ２４を防護服２１の背面側に接着する１以上の面ファスナー２５が設けられる。
【００９０】
フラップ２４の内側には、１以上の面ファスナー２５が設けられており、これらが、防護服２１の背面側の１以上の面ファスナー２５と結合することで、フラップ２４は、防護服２１の背面側に接着される。また、フラップ２４の上端近傍には、第一の織テープ２３ａを収納するポケット２６が設けられる。フラップ２４の内側には、通気口２７が設けられる。ファスナー２２の内側には、上記タブ１４に対応する掴み布２８が設けられる。第一の織テープ２３ａは、ファスナー２２のスライダーに取り付けられる。
【００９１】
防護服２１の前面側には、上記バイザー１１１ａに対応するバイザー２９が設けられる。バイザー２９は、ＰＶＣシートやポリエステルフィルム等２９ａを有する。ＰＶＣシートやポリエステルフィルム等２９ａの四隅には、これを防護服２１のフード部分に密着させるために超音波溶着させるか、または４本の第二の織テープ２３ｂが取り付けられる。
４本の各第二の織テープ２３ｂの、ＰＶＣシートやポリエステルフィルム等２９ａの四隅に取り付けられる側とは反対側の端部には、例えば、凸形状を有するドットボタン２９ｂが設けられる。防護服２１のフード部分の側面には、例えば、凹形状を有する図示しない４つのドットボタンが設けられており、これらが、４本の第二の織テープ２３ｂのドットボタン２９ｂと結合され、それによって、ＰＶＣシートやポリエステルフィルム等２９ａは、防護服２１のフード部分に密着した状態で固定される。
【００９２】
また、ＰＶＣシートやポリエステルフィルム等２９ａの上辺および下辺には、その鋭利な切断面で顔や布を傷つけないように、パイピング２９ｃが設けられる。さらに、ＰＶＣシートやポリエステルフィルム等２９ａの内面には、例えば、補強用に、リング状の塩ビボード２９ｄが設けられる。
【００９３】
また、防護服２１の前面側、背面側を問わず、生地を縫い合わせた部分には、シームテープ３０が貼り付けられ、それによって、防護性能が高められる。ただし、上記のような構成および各構成要素の機能は、例示に過ぎず、本発明を何ら限定するものではない。
【００９４】
なお、図１７の防護服２１において、背面側の足のかかとの位置に、上記第二タブ１５に対応する２つの第二タブ（図示しない）が設けられていることは好適である。
【００９５】
また、図１等の防護服１、または図１７の防護服２１において、足を覆う部分がなくてもよい。かかる防護服の着用者は、例えば、別体のシューカバー（図示しない）を、靴に装着してもよい。別体のシューカバーとは、異物に対する人体の防護に用いられるシューカバーであって、靴の少なくとも一部を覆うカバー本体を具備し、前記カバー本体に第二タブを設けたシューカバーである。カバー本体は、上記カバー１１２と同様の機能を有し、カバー本体に設けられた第二タブもまた、上記第二タブ１５と同様の機能を有する。かかるシューカバーにおいて、第二タブは、足のかかとまたはその近傍に位置することは好適である。
【００９６】
また、防護服１にシューカバーが存在しない場合、裾にタブが付加されたものでも良い。
【００９７】
本発明は、以上の実施の形態に限定されることなく、種々の変更が可能であり、それらも本発明の範囲内に包含されるものであることは言うまでもない。
【産業上の利用可能性】
【００９８】
以上のように、本発明にかかる防護服は、背面側に開閉部を設けたことで、異物に対するリスクを低減できるという効果を有し、防護服等として有用である。
【符号の説明】
【００９９】
１  防護服
１１，１１Ａ，１１Ｂ，１１Ｃ  服本体
１２，１２Ａ，１２Ｂ，１２Ｃ  開閉部
１２ａ  上端（上方の先端）
１３  コード
１４  タブ
１５  第二タブ
１１１  フード
１１２  シューカバー
【図１】
2019031748.tif 000003
【図２】
2019031748.tif 000004
【図３】
2019031748.tif 000005
【図４】
2019031748.tif 000006
【図５】
2019031748.tif 000007
【図６】
2019031748.tif 000008
【図７】
2019031748.tif 000009
【図８】
2019031748.tif 000010
【図９】
2019031748.tif 000011
【図１０】
2019031748.tif 000012
【図１１】
2019031748.tif 000013
【図１２】
2019031748.tif 000014
【図１３】
2019031748.tif 000015
【図１４】
2019031748.tif 000016
【図１５】
2019031748.tif 000017
【図１６】
2019031748.tif 000018
【図１７】
2019031748.tif 000019